(57)【要約】      （修正有）【課題】ウニなど食害を防ぐことができると共に、複数の種類の海藻が徐々に混成していくことで、自然に近い藻場を造成する藻場造成装置及び藻場造成方法を提供する。【解決手段】藻場造成装置Ｍは、春から初夏にかけて繁茂する、ホンダワラ類の海藻を育成することが可能な海藻育成領域Ｓと、海藻育成領域を囲繞すると共に、周年を通して繁茂する、アラメ類の海藻を育成する手段を有する、所要数の海藻育成体１、１ａ、１ｂ、１ｃ、１ｄ、１ｅ、１ｆ、１ｇ、１ｈ、１ｉ、１ｊ、１ｋとを備える。【選択図】図１
2016149953.tif 000002
【特許請求の範囲】
【請求項１】
周年を通して繁茂するアラメ類の海藻を育成する手段を有すると共に、内側にホンダワラ類の海藻を育成する海藻育成領域を形成するように、閉ループ状に配置された所要数の海藻育成体を備える
藻場造成装置。
【請求項２】
前記海藻育成体は、中空の立方体形状、または直方体形状に形成されると共に、内部空間に通じる採光口を有する
請求項１に記載の藻場造成装置。
【請求項３】
前記採光口を覆う、網状の部材を備える
請求項２に記載の藻場造成装置。
【請求項４】
前記海藻育成領域の上部であって、前記海藻育成体で囲まれて形成された開口部を覆う、網状の部材を備える
請求項１、請求項２または請求項３に記載の藻場造成装置。
【請求項５】
前記網状の部材を構成する線材の表面は、滑面状に形成された
請求項３または請求項４に記載の藻場造成装置。
【請求項６】
前記網状の部材は、海洋生物を忌避させる忌避成分を含む
請求項３、請求項４または請求項５に記載の藻場造成装置。
【請求項７】
前記海藻育成体の、アラメ類の海藻を育成する手段として、種付け要素を取り付けることが可能であると共に、揺動可能な植栽部材を有する
請求項１、請求項２、請求項３、請求項４、請求項５または請求項６に記載の藻場造成装置。
【請求項８】
前記種付け要素は、糸状の形状を有する
請求項７に記載の藻場造成装置。
【請求項９】
前記ホンダワラ類には、ホンダワラ、アカモク、ヤツマタモク、ノコギリモクなどのうち、少なくともいずれか一つが含まれる
請求項１、請求項２、請求項３、請求項４、請求項５、請求項６、請求項７または請求項８に記載の藻場造成装置。
【請求項１０】
前記アラメ類には、アラメ、カジメ、クロメ、ノコギリモクのうち、少なくともいずれか一つが含まれる
請求項１、請求項２、請求項３、請求項４、請求項５、請求項６、請求項７または請求項８に記載の藻場造成装置。
【請求項１１】
周年を通して繁茂するアラメ類の海藻を育成する手段を有すると共に、閉ループ状に構成された海藻育成体を備える
藻場造成装置。
【請求項１２】
中空の直方体状または立方体状に形成され、内部空間に通じ、網状の部材で覆われた採光口を有すると共に、前記内部空間にアラメ類の海藻の種付け要素が配置された、所要数の海藻育成体を海底に配置して、前記海藻育成体で囲繞された海藻育成領域を形成する工程と、
前記海藻育成領域にホンダワラ類の海藻を植栽する工程と、
前記海藻育成領域の開口部を網状の部材で覆う工程とを備える
藻場造成方法。
【発明の詳細な説明】
【技術分野】
【０００１】
本発明は藻場造成装置及び藻場造成方法に関する。詳しくは、ウニ類などの底生生物、あるいは魚類などによる食害を防ぐことができると共に、複数の種類の海藻が徐々に混成していくことで、自然に近い藻場を造成する藻場造成装置及び藻場造成方法に関するものである。
【背景技術】
【０００２】
近年、日本周辺の海域では、一部の沿岸海域において、生息している海藻の多くが減少し、著しい場合は消失する「磯焼け」と呼ばれる現象が起こっている。
【０００３】
本来、藻場は、さまざまな生物を育むと同時に、海水の浄化機能も果たすことから、「海のゆりかご」と呼ばれている。しかし、この藻場が、上記したように、磯焼けにより消失していることで、生態系に大きな影響を及ぼし、漁獲高の減少の一因となっていると言われている。
【０００４】
このため、近年では、磯焼けが発生した海底に、藻場を再度造成できるような装置、若しくは、藻場を再度造成できるような方法の開発が望まれており、既に提案されている。
【０００５】
その一例として、特許文献１記載の藻場造成装置がある。この藻場造成装置は、立体型カートリッジとカートリッジ受け具とを備え、カートリッジに海藻が着生することで、海藻の着生・生長し、周辺へ種を拡散し、食害が少ないが藻場が回復しない箇所において、藻場の回復を図ることを目的とする。
また、非特許文献１として、水産庁の食害動物の防除についての記載がみられる。具体的には、藻場への食植生動物の侵入を阻止するために、海藻の周囲にネットを張るなどして、食害の防止を試みている。
【先行技術文献】
【特許文献】
【０００６】
【特許文献１】特開２０１４−２２６０７５号公報
【非特許文献】
【０００７】
【非特許文献１】水産庁ＨＰ  藻場を守る漁業者の活動  ７．食害動物の防除（核藻場の保護）『主な食植生動物はウニ類とアイゴやブダイなどの食植生の魚です。ウニ類は海底を這って移動するので海底の平面的な防御で充分ですが、水中を泳ぐ魚は立体的な防除策が必要となります。』  インターネット（ＵＲＬ：ｈｔｔｐ：／／ｗｗｗ．ｊｆａ．ｍａｆｆ．ｇｏ．ｊｐ／ｊ／ｋｉｋａｋｕ／ｔａｍｅｎｔｅｋｉ／ｋａｉｓｅｔｕ／ｍｏｂａ／ｍｏｂａ＿ｋａｔｕｄｏｕ／ｉｎｄｅｘ．ｈｔｍｌ）
【発明の概要】
【発明が解決しようとする課題】
【０００８】
しかしながら、特許文献１に記載の藻場造成装置は、構造的に複雑であり、実用化に難がある。また、成長した海藻を食植性動物から保護する手段が設けられていないため、根部などが食植性動物に摂食され、海藻が繁茂しにくい。
【０００９】
また、非特許文献１に記載の食害動物の防除は、一種類の海藻を育成させており、多種類の海藻から成る、自然な状態に近い藻場を造成するという考えには至っていない。
【００１０】
自然に近い状態の海藻の群落を形成することができれば、一時的ではなく、永続的な藻場を存続させることができ、生態系が回復され、漁獲高の向上も期待できる。
【００１１】
そもそも、藻場には、主に、四季藻場と春藻場がある。四季藻場は、自然に近い状態の藻場であり、アラメやノコギリモクなどの多年生の海藻によって周年群落が形成されている。しかし、四季藻場を構成する海藻は、ウニなどの食害を受けやすく、一般的に成長が遅いため、四季藻場を造成することは困難であると言われている。
【００１２】
一方、春藻場の形成期間は春〜初夏である。春藻場を構成する海藻の多くが、魚類から摂食されやすい秋から初冬にかけて、目立ちにくい小さな幼体や根部のみの状態で過ごし、あまり摂食されなくなる冬から春にかけて急速に成長するので、食植性の魚による食害を回避して、成長することができ、残存しやすいのが特徴である。
【００１３】
しかし、例えばウニ類は、春藻場を形成する海藻の幼体や根部までも食するので、永続的な春藻場を形成するためには、食植性の魚類による食害を防ぐと同時に、ウニ類などの底生生物による食害を防ぐ手立てが必要であった。
【００１４】
本発明は、以上の点に鑑みて発明されたものであり、ウニ類などの底生生物、あるいは魚類などによる食害を防ぐことができると共に、複数の種類の海藻が徐々に混成していくことで、自然に近い藻場を造成する藻場造成装置及び藻場造成方法を提供することを目的とする。
【課題を解決するための手段】
【００１５】
上記課題を解決するために、本発明の藻場造成装置は、周年を通して繁茂するアラメ類の海藻を育成する手段を有すると共に、内側にホンダワラ類の海藻を育成する海藻育成領域を形成するように、閉ループ状に配置された所要数の海藻育成体を備える。
【００１６】
ここで、周年を通して繁茂する、アラメ類の海藻を育成する手段を有する、所要数の海藻育成体を備えることによって、海藻育成体を用いてアラメ類の海藻を育成することができる。
【００１７】
また、内側にホンダワラ類の海藻を育成する海藻育成領域を形成するように、閉ループ状に配置された所要数の海藻育成体を備えることによって、海藻育成領域を閉じた領域とすることができ、ウニなどの底生生物が海藻育成領域に直接侵入するのを防ぐことができる。
【００１８】
また、海藻育成体は、中空の立方体形状、または直方体形状に形成されると共に、内部空間に通じる採光口を有する場合には、海藻育成体の内部が日光で照らされることにより、海藻育成体の内部の海藻の成長を促すことができる。
【００１９】
また、採光口を覆う、網状の部材を備える場合には、魚などの食植性の動物が海藻育成体の内部に入り込むことを防ぐことができる。
【００２０】
また、海藻育成領域の上部であって、海藻育成体で囲まれて形成された開口部を覆う、網状の部材を備える場合には、海藻育成領域の開口部から、魚などの食植生の動物が海藻育成領域及び海藻育成体の内部に入り込み、海藻を食することを防ぐことができる。
【００２１】
また、網状の部材を構成する線材の表面は、滑面状に形成された場合には、海中を漂流する海洋生物が付着することを防ぐことができる。
【００２２】
また、網状の部材が、海洋生物を忌避させる忌避成分を含む場合には、線材に海洋生物が付着するのを防ぐことができる。
【００２３】
また、海藻育成体の、アラメ類の海藻を育成する手段として、種付け要素を取り付けることが可能である植栽部材を有する場合には、植栽部材から海藻を育成することができる。
【００２４】
また、揺動可能な植栽部材を有する場合には、ウニなどの底生生物が、植栽部材へ這い上がり、海藻を摂食することを防ぐことができる。
【００２５】
また、種付け要素が糸状の形状を有する場合には、種付け要素を植栽部材に巻き付けることができる。
【００２６】
ホンダワラ類には、ホンダワラ、アカモク、ヤツマタモク、ノコギリモクなどが含まれるが、少なくともホンダワラ類のいずれか一つが含まれる場合には、春藻場を形成する海藻を含む藻場を作ることができる。
【００２７】
アラメ類には、アラメ、カジメ、クロメ、ツルアラメのうち、少なくともいずれか一つが含まれる場合には、周年を通して繁茂する海藻を含む藻場を作ることができる。
【００２８】
また、上記課題を解決するために、本発明の藻場造成装置は、周年を通して繁茂するアラメ類の海藻を育成する手段を有すると共に、閉ループ状に構成された海藻育成体を備える。
【００２９】
ここで、周年を通して繁茂するアラメ類の海藻を育成する手段を有する海藻育成体を備えることによって、海藻育成体を用いてアラメ類の海藻を育成することができる。
【００３０】
また、閉ループ状に構成された海藻育成体を備えることによって、海藻育成体によって囲われた領域が、海底に設置した際に海藻育成領域として機能する藻場造成装置を設置することができる。
【００３１】
また、上記課題を解決するために、本発明の藻場造成方法は、中空の直方体状または立方体状に形成され、内部空間に通じ、網状の部材で覆われた採光口を有すると共に、内部空間にアラメ類の海藻の種付け要素が配置された、所要数の海藻育成体を海底に配置して、海藻育成体で囲繞された海藻育成領域を形成する工程と、海藻育成領域にホンダワラ類の海藻を植栽する工程と、海藻育成領域の開口部を網状の部材で覆う工程とを備える。
【００３２】
ここで、中空の直方体状または立方体状に形成され、内部空間に通じ、網状の部材で覆われた採光口を有する海藻育成体を製造する工程によって、内部空間が日光で照らされる海藻育成体を製造することができる。
【００３３】
また、内部空間にアラメ類の海藻の種付け要素が配置された海藻育成体を製造する工程によって、海藻育成体内部で海藻を育成することができる。
【００３４】
また、網状の部材で覆われた採光口を有する、所要数の海藻育成体を海底に配置して、海藻育成体で囲繞された海藻育成領域を形成する工程と、海藻育成領域の開口部を網状の部材で覆う工程とによって、海藻育成領域及び海藻育成体の内部に、食植性の魚などが侵入するのを防ぐことができる。
【００３５】
また、海藻育成領域にホンダワラ類の海藻を植栽し、海藻育成体にクロメ類の海藻を植栽する工程によって、異なる海藻を育成することができると共に、ホンダワラ類の海藻をウニなどの底生生物による食害から守ることができるので、春藻場の造成がしやすくなる。
【００３６】
また、海藻育成領域にホンダワラ類の海藻を植栽し、海藻育成体にクロメ類の海藻を植栽する工程によって、時間の経過とともに、春藻場を核藻場として、クロメ類とホンダワラ類の混成が進むことで、単一種類の海藻で形成される藻場ではなく、複数の種類の海藻から成る、自然に近い状態の藻場を造成することができる。
【発明の効果】
【００３７】
本発明に係る藻場造成装置及び藻場造成方法は、ウニ類などの底生生物、あるいは魚類などによる食害を防ぐことができると共に、複数の種類の海藻が徐々に混成していくことで、自然に近い藻場を造成することができる。
【図面の簡単な説明】
【００３８】
【図１】本発明の一実施の形態に係る藻場造成装置の使用状態を示す斜視説明図である。
【図２】海藻育成ブロックの斜視説明図である。
【図３】図２のＡ―Ａ'断面図である
【図４】海藻植栽パイプの取付構造を示す要部説明図である。
【図５】藻場造成装置により、混成藻場が形成される過程を説明した図である。
【発明を実施するための形態】
【００３９】
以下、本発明の実施の形態について図１ないし図５を参照しながら説明し、本発明の理解に供する。
【００４０】
〔実施の形態〕
図１に示すように、本実施の形態の藻場造成装置Ｍは、栗石でつくった基礎部Ｂの上に設置されている。基礎部Ｂの上面は、ほぼ平坦に形成されているので、基礎部Ｂの上に、藻場造成装置Ｍを載置することで、凹凸のある海底でも藻場造成装置Ｍを水平に設置することができる。
【００４１】
藻場造成装置Ｍは、本発明を適用した海藻育成体の一例である、１２個の海藻育成ブロック１、１ａ、１ｂ、１ｃ、１ｄ、１ｅ、１ｆ、１ｇ、１ｈ、１ｉ、１ｊ、１ｋを、図１に示すように、平面視四角形状になるように、隙間なく連設して形成されている。
【００４２】
ここで、藻場造成装置Ｍが、「平面視四角形状になるように、隙間なく連接して形成される」配置は、閉ループ状の配置の一例であり、この配置に限定されるものではない。海藻育成領域を形成することができれば、異なる配置であってもよい。
【００４３】
各海藻育成ブロック１、１ａ、１ｂ、１ｃ、１ｄ、１ｅ、１ｆ、１ｇ、１ｈ、１ｉ、１ｊ、１ｋで囲繞された領域は、後述する、海藻育成領域の一例である春藻場育成スペースＳとなる。すなわち、春藻場育成スペースＳの底面は、基礎部Ｂの上面となっている。
【００４４】
なお、春藻場育成スペースＳは、海藻育成ブロックにより囲繞されることで形成されるものに限られない。例えば、海藻を育成できるスペースを有する容器体等であって、その周囲を海藻育成ブロックで囲繞する藻場造成装置も考えられる。
【００４５】
主に図２を参照して海藻育成ブロック１の構造を説明する。
海藻育成ブロック１は、一辺が約２メートルの立方体の形状を有する。海藻育成ブロック１には、採光口の一例である窓部１０、１１、１２が設けられている。各窓部の一辺の長さは、約１．４メートルである。
【００４６】
ここで、藻場造成装置Ｍは、必ずしも基礎部Ｂの上に載置されるものに限定されるものではない。海底の形状が、藻場造成装置Ｍを略水平に設置することができる形状であれば、基礎部Ｂを設けることなく、直接海底に藻場造成装置Ｍを設置することもできる。
【００４７】
また、藻場造成装置Ｍは、必ずしも１２個の海藻育成ブロックで形成されるものに限定されるものではない。春藻場育成スペースＳが形成されるように配置することができれば、異なる個数の海藻育成ブロックから成る藻場造成装置とすることもできる。
【００４８】
また、海藻育成ブロック１、１ａ、１ｂ、１ｃ、１ｄ、１ｅ、１ｆ、１ｇ、１ｈ、１ｉ、１ｊ、１ｋの一辺は、必ずしも２ｍの長さに限るものではなく、例えば、４ｍの長さにするなど、他の寸法にすることも考えられる。
【００４９】
また、窓部１０は必ずしも四角形に切り欠かれて形成されたものに限定されるものではない。日光を海藻育成ブロック内部に取り入れることができれば、他の形状とすることもできる。
【００５０】
各海藻育成ブロック１、１ａ、１ｂ、１ｃ、１ｄ、１ｅ、１ｆ、１ｇ、１ｈ、１ｉ、１ｊ、１ｋは、全ての六面に窓部が設けられているが、そのうちの隣接し合う、三つの面の窓部に防護ネットが張られているもの（以下、「タイプＡの海藻育成ブロック」という。）と、隣接し合う、二つの面の窓部に防護ネットが張られているもの（以下「タイプＢの海藻育成ブロック」という。）がある。なお、図示の便宜上、図１、図２に表れた防護ネットが張られた窓部にのみ符号１０、１１、１２を付して示しており、その他の窓部の符号は省略している。
【００５１】
海藻育成ブロック１、１ａ、１ｂ、１ｃ、１ｄ、１ｅ、１ｆ、１ｇ、１ｈ、１ｉ、１ｊ、１ｋのうち、タイプＡの海藻育成ブロックは、１、1ｃ、1ｆ、1ｉの４個であり、タイプＢの海藻育成ブロックは、１ａ、１ｂ、１ｄ、１ｅ、１ｇ、１ｈ、１ｊ、１ｋの８個である。
【００５２】
タイプＡの海藻育成ブロック１、１ｃ、１ｆ、１ｉの窓部１０、１１、１２には、防護ネット１００、１１０、１２０が張設されている。
【００５３】
タイプＢの海藻育成ブロック１ａ、１ｂ、１ｄ、１ｅ、１ｇ、１ｈ、１ｊ、１ｋの窓部１０、１１には、防護ネット１００、１１０が張設されている。
【００５４】
海藻育成ブロック１、１ａ、１ｂ、１ｃ、１ｄ、１ｅ、１ｆ、１ｇ、１ｈ、１ｉ、１ｊ、１ｋで囲繞され、藻場造成装置Ｍの中央に位置する、海藻育成領域の一例である春藻場育成スペースＳの開口部Ｓ１は、各海藻育成ブロック１、１ａ、１ｂ、１ｃ、１ｄ、１ｅ、１ｆ、１ｇ、１ｈ、１ｉ、１ｊ、１ｋの防護ネット１００と同一平面上に位置する防護ネットＳ１１で覆われている。
【００５５】
このように、防護ネット１００、１１０、１２０、Ｓ１１が藻場造成装置Ｍの外周側に位置する窓部１０、１１、１２及び開口部Ｓ１に張設されていることから、食植性の魚などが藻場造成装置Ｍの内部に入り込むことを防止することができる。
【００５６】
また、防護ネット１００、１１０、１２０は金属製のネットであり、材料の金属には銅が含まれている。銅イオンは、海洋生物が忌避する成分であり、線材から溶出する銅イオンにより、海中を漂流する、受精卵の状態である牡蠣殻や流れ藻などが付着するのを妨げることができる。
【００５７】
このため、防護ネット１００、１１０、１２０、Ｓ１１に海藻や牡蠣殻付着してしまうことで、海藻育成ブロック内部に日光が入り込まず、日光が遮られることにより、海藻の育成が阻害されることを防ぐことができる。
【００５８】
海藻育成ブロック１、１ａ、１ｂ、１ｃ、１ｄ、１ｅ、１ｆ、１ｇ、１ｈ、１ｉ、１ｊ、１ｋの内部には、植栽部材の一例である、３本の海藻育成パイプＰが、それぞれ内部にワイヤＷを挿入し、ワイヤＷの両端を、窓部１３の縁に、アイボルトなどを用いて固定し、窓部１３をまたいで架設することで、設けられている。図２として、海藻育成ブロック１の窓部１３に、３本の海藻育成パイプＰが設けられた図を示す。
【００５９】
海藻育成パイプＰは、窓部１３の一辺の長さ（約１．４ｍ）よりも短く作られており、全体として円筒形状を有する。海藻育成パイプＰの両端部は、固定用ワイヤＷ'を網目の穴に通して実質的に固定されているため（図４参照）、海藻育成パイプＰが、窓部１３のほぼ中央付近に位置することになる。このため、海藻育成パイプＰが、海藻育成ブロック内の、いずれか一方に移動し、海藻が互いに押し付けあうことで、海藻が成長するための充分なスペースが確保できず、海藻の成長を妨げられてしまうことを防ぐことができる。
【００６０】
また、海藻育成パイプＰは、網目状の素材で形成されており、後述する種糸Ｔに種付けされた、アラメ類の海藻体ｍ１の根が絡みやすいので、海藻育成パイプＰにアラメ類の海藻体ｍ１をしっかりと固着させることができる。
【００６１】
ここで、海藻育成パイプＰは、網目状の素材で形成されたものに限られるものではない。アラメ類の海藻体ｍ１の根が絡むことができれば、例えばスポンジ状の素材や、メッシュ状の素材で形成されてもよい。
【００６２】
また、海藻育成パイプは、必ずしも、円筒形状に限られるものではない。種付け要素を取り付けることができればよく、例えば、円柱形、板状、その他不規則な形状であってもよい。
【００６３】
海藻育成パイプＰには、種付け要素の一例である種糸Ｔが巻き付けられている。種糸Ｔは、クロメ、アラメなどのアラメ類の海藻の種を糸に種付けし、約二か月間海中で育成して、幼体（図示せず）に成長させたものである。種糸Ｔを海藻育成パイプＰに巻き付け、海底に海藻育成ブロックごと設置することで、図３に示すように、海藻育成パイプＰ上で、幼体が成長し、成熟したアラメ類の海藻体ｍ１となる。
【００６４】
ここで、種付け要素は、種糸Ｔに限られるものではない。シート状の形状を有するなど、何らかの方法で海藻育成パイプに固着することができればよい。
【００６５】
海藻育成パイプＰの内部は空洞であり、内部にワイヤＷが貫入されていることにより、海藻育成パイプＰは、海中の水の流れにより揺動するように設けられている。
【００６６】
なお、海藻育成パイプＰが、海藻育成ブロック１、１ａ、１ｂ、１ｃ、１ｄ、１ｅ、１ｆ、１ｇ、１ｈ、１ｉ、１ｊ、１ｋ内で一端側に偏ることを防ぐため、上記したように海藻育成パイプＰの両端付近に、３本のワイヤＷに直交するように固定用ワイヤＷ'を設けている。
【００６７】
また、海藻育成パイプＰで育成されたアラメ類の海藻体ｍ１を食しようと、ウニなどの底生動物が海藻育成パイプＰに這い上がろうとしても、這い上がることができない。つまり、ワイヤＷ及び固定用ワイヤＷ'は、多少のたわみまたは緩みをもって設置されており、海中の水の流れに伴い揺動するので、海藻育成パイプＰもそれと共に揺動し、まだ海藻が充分に繁茂しておらず幼藻が定着しかけた程度の状態であっても、大きく揺れて、ウニの這い上がりを防止することができる。
【００６８】
また、ウニなどの底生動物が海藻育成パイプＰに這い上がれたとしても、海藻育成パイプＰ自体が海中の水の流れにより頻繁に揺動するため、海藻育成パイプＰから滑り落ちるので、アラメ類の海藻体ｍ１をウニなどの底生生物による食害から防ぐことができる。
【００６９】
また、防護ネット１００、１１０、１２０、Ｓ１１を構成する線材が銅を含んでいるので、線材から溶出する銅イオンによる忌避効果で海中の浮遊物が防護ネットに付着するのを防止できる。
【００７０】
また、防護ネットが付着物で覆われてしまうことで、日光がさえぎられることを防ぐことができるので、アラメ類の海藻体ｍ１及びホンダワラ類の海藻体ｍ２の育成を妨げることがない。
【００７１】
また、連結した海藻育成ブロック１、１ａ、１ｂ、１ｃ、１ｄ、１ｅ、１ｆ、１ｇ、１ｈ、１ｉ、１ｊ、１ｋの内部には、クロメ、アラメなどの海藻を育成させ、春藻場育成スペースＳには、ホンダワラなどの海藻を育成させることで、異なる種類の海藻を育成し、徐々に混成が進むことで、自然に近い状態の藻場を造成することができる。
【００７２】
また、春藻場育成スペースＳは、海藻育成ブロック１、１ａ、１ｂ、１ｃ、１ｄ、１ｅ、１ｆ、１ｇ、１ｈ、１ｉ、１ｊ、１ｋにより、隙間なく囲繞されていることにより、ウニなどの底生生物の侵入を防ぐことができるため、ホンダワラ類の海藻体ｍ２が摂食されることを防ぐことができる。
【００７３】
＜藻場造成装置の設置方法＞
海底に、土台となる基礎部Ｂを造る。基礎部Ｂは、割栗石を敷き詰め、石の隙間を埋めるための目つぶし砂利を敷いて造成する。基礎部Ｂ上には、海藻育成ブロック１、１ａ、１ｂ、１ｃ、１ｄ、１ｅ、１ｆ、１ｇ、１ｈ、１ｉ、１ｊ、１ｋを、以下に述べるように敷設する。
【００７４】
上面と、隣り合う二面の側面に防護ネットが張られた、タイプＡの海藻育成ブロック１、１ｃ、１ｆ、１ｉと、これらと隣接する、上面と側面の二面に防護ネットが張られた、タイプＢの海藻育成ブロック１ａ、１ｂ、１ｄ、１ｅ、１ｇ、１ｈ、１ｊ、１ｋを地上で製作する。
【００７５】
次に、網目状の素材を用いて中空に形成された海藻育成パイプＰに、アラメ類の海藻の幼体（図示せず）が種付けされた種糸Ｔを螺旋状に巻き付ける。
【００７６】
種糸Ｔが巻き付けられた海藻育成パイプＰを各海藻育成ブロック１、１ａ、１ｂ、１ｃ、１ｄ、１ｅ、１ｆ、１ｇ、１ｈ、１ｉ、１ｊ、１ｋの窓部１３の縁に、ワイヤＷを通して吊り下げるように、アイボルトを用いて３本ずつ設置する。
【００７７】
次に、タイプＡの海藻育成ブロック１、１ｃ、１ｆ、１ｉを、平面視四角形の角部に位置するよう設置し、タイプＢの海藻育成ブロック１ａ、１ｂ、１ｄ、１ｅ、１ｇ、１ｈ、１ｊ、１ｋを、タイプＡの海藻育成ブロック１、１ｃ、１ｆ、１ｉの間に密接して設置し、全体として図１に示すように、平面視略四角形状となるように、基礎部Ｂ上に設置する。
【００７８】
ここで、藻場造成装置は、必ずしも複数の海藻育成ブロックを海中で連結して形成されるものに限られない。例えば、陸上で海藻育成ブロックを連結し、その後海底に設置することも考えられる。なお、この場合であっても、陸上で、予め防護ネットを設置した後、海底に設置する手順については同じである。
【００７９】
また、必ずしも藻場造成装置は、複数の海藻育成ブロックから構成されるものに限られるわけではない。閉ループ状に形成されたものであってもよい。なお、この場合であっても、陸上で、予め防護ネットを設置した後、海底に設置する手順については同じである。
【００８０】
なお、藻場造成装置は水深１０ｍの位置に設置することが望ましい。１０ｍよりも浅いと、船の航行を妨げるおそれがあるからである。また、１０ｍよりも深いと、日光が届きにくいからである。
【００８１】
各海藻育成ブロック１、１ａ、１ｂ、１ｃ、１ｄ、１ｅ、１ｆ、１ｇ、１ｈ、１ｉ、１ｊ、１ｋを、隙間なく、互いに金属製の連結部材（図示せず）で連結し、固定する。海藻育成ブロック１、１ａ、１ｂ、１ｃ、１ｄ、１ｅ、１ｆ、１ｇ、１ｈ、１ｉ、１ｊ、１ｋで囲繞された、春藻場育成スペースＳ内に、ホンダワラなどの成熟した海藻（図示せず）を母藻として投入する。
【００８２】
藻場造成装置Ｍの略中央に設けられた春藻場育成スペースＳの開口部Ｓ１を、防護ネットＳ１１で塞ぐ。これにより、藻場造成装置Ｍの外周面は、すべて防護ネットで覆われるので、藻場造成装置Ｍの内部への、食植性の魚などの侵入を防ぐことができる。
【００８３】
また、春藻場育成スペースＳは、海藻育成ブロック１、１ａ、１ｂ、１ｃ、１ｄ、１ｅ、１ｆ、１ｇ、１ｈ、１ｉ、１ｊ、１ｋにより隙間なく囲繞されているので、ウニなどの底生生物が侵入するのを防ぐことができる。
【００８４】
また、ウニなどの底生生物が春藻場育成スペースＳ内に入り込むことができないので、春藻場を構成するホンダワラなどの海藻が幼体となる夏以降、ウニなどの底生生物に摂食されることなく、水温が下がる秋以降再び成長することができ、毎年、春藻場が形成される。
【００８５】
また、アカモクなどの一年生のホンダワラ類であっても、種が春藻場育成スペースＳ内に落ちることで、毎年、春藻場が形成される。
【００８６】
これを繰り返すことで、図５に示すように、周囲のアラメ類の海藻体ｍ１とホンダワラ類の海藻体ｍ２とが徐々に混成され、自然に近い藻場を形成することができる。
【００８７】
図５を用いて、アラメ類の海藻体ｍ１とホンダワラ類の海藻体ｍ２とが徐々に混成する様子を詳述する。まず、図５の上段の図に示すように、アラメ類の海藻体ｍ１が海藻育成ブロック内で育成されており、ホンダワラ類の海藻体ｍ２が春藻場育成スペースＳ内で育成されている。
【００８８】
図５の中段の図に示すように、アラメ類の海藻体ｍ１、ホンダワラ類の海藻体ｍ２は徐々に成長し、図５の下段の図に示すように、やがて、海藻育成ブロックや春藻場育成スペースＳ内で、アラメ類の海藻体ｍ１、ホンダワラ類の海藻体ｍ２の混成が進み、より自然に近い藻場が形成される。
【００８９】
また、海藻育成ブロックに囲われていることにより、強い海中の水の流れで、アラメ類の海藻体ｍ１、ホンダワラ類のｍ２は流されにくくなり、藻場全体の流失を防ぐことができる。
【００９０】
このように、本発明を適用した藻場造成装置及び藻場造成方法は、ウニ類などの底生生物などによる食害を防ぐことができると共に、複数の種類の海藻が徐々に混成していくことで、自然に近い藻場を造成することができる。
【符号の説明】
【００９１】
藻場造成装置  Ｍ
基礎部  Ｂ
海藻育成ブロック  １、１ａ、１ｂ、１ｃ、１ｄ、１ｅ、１ｆ、１ｇ、１ｈ、１ｉ、１ｊ、１ｋ
タイプＡの海藻育成ブロック  １、１ｃ、１ｆ、１ｉ
タイプＢの海藻育成ブロック  １ａ、１ｂ、１ｄ、１ｅ、１ｇ、１ｈ、１ｊ、１ｋ
窓部１０、１１、１２、１３
防護ネット  １００、１１０、１２０
春藻場育成スペース  Ｓ
春藻場育成スペースＳの開口部  Ｓ１
防護ネット  Ｓ１１
海藻育成パイプ  Ｐ
ワイヤ  Ｗ
固定用ワイヤ  Ｗ'
種糸  Ｔ
アラメ類の海藻体  ｍ１
ホンダワラ類の海藻体  ｍ２
【図１】
2016149953.tif 000003
【図２】
2016149953.tif 000004
【図３】
2016149953.tif 000005
【図４】
2016149953.tif 000006
【図５】
2016149953.tif 000007
【手続補正書】
【提出日】平成27年2月24日(2015.2.24)
【手続補正１】
【補正対象書類名】特許請求の範囲
【補正対象項目名】請求項１０
【補正方法】変更
【補正の内容】
【請求項１０】
前記アラメ類には、アラメ、カジメ、クロメ、ツルアラメのうち、少なくともいずれ
か一つが含まれる
請求項１、請求項２、請求項３、請求項４、請求項５、請求項６、請求項７または請求
項８に記載の藻場造成装置。